(57)【要約】【課題】レーザ光を十分に遮蔽し、反射ミラー等を十分に清掃することができるシャッターを備えるとともに、開閉部材の開閉動作を行う際の操作性を向上させることができる機能を備えた画像形成装置を提供することを目的とする。【解決手段】画像形成装置には、開閉カバー６０の開閉動作に連動して回動することにより、レーザ光を遮蔽するシャッター３７が設けられている。また、開閉カバー６０を閉じる際には、開閉カバー６０の回動力を減衰させ、開閉カバー６０を開く際には、開閉カバー６０の回動力をアシストする回動力調節機構８０が設けられている。従って、開閉カバー６０の操作性が向上する。  【選択図】  図５
2006208848.tif 000002
【特許請求の範囲】
【請求項１】
装置本体と、前記装置本体に対して、回動により開閉可能に設けられた開閉部材と、レーザ光を出射するレーザ光源と、前記装置本体に回動可能に設けられた軸部と、前記軸部に取り付けられるとともに、前記レーザ光を遮蔽するためのシャッターと、を備え、前記開閉部材の開閉動作に連動して前記シャッターが前記軸部と一体となって回動する画像形成装置において、
前記開閉部材を閉じる際には、前記開閉部材の回動力を減衰させ、前記開閉部材を開く際には、前記開閉部材の回動力をアシストする回動力調節機構を設けたことを特徴とする画像形成装置。
【請求項２】
前記回動力調節機構は、前記軸部に設けられ、前記レーザ光を遮蔽する方向に前記シャッターを押圧する弾性部材と、前記軸部に取り付けられ、前記軸部と一体となって回動するとともに、前記軸部と前記シャッターを介して、前記弾性部材の押圧力が伝達される回動部材と、前記開閉部材に設けられ、前記回動部材と係合する係合部材と、を有しており、
前記開閉部材を閉じる際に、前記係合部材が前記回動部材と当接することにより、前記弾性部材の押圧力が前記回動部材を介して前記係合部材に伝達され、前記開閉部材の回動力が減衰されるとともに、前記開閉部材を閉じる動作に連動して、前記シャッターが前記弾性部材の押圧力に抗して前記レーザ光を遮光する方向と反対の方向に回動し、前記シャッターによる前記レーザ光の遮蔽状態が解除され、
前記開閉部材を開く際には、前記係合部材が前記回動部材と当接した状態にあり、前記弾性部材の押圧力が前記回動部材を介して前記係合部材に伝達されることにより、前記開閉部材の回動力がアシストされるとともに、前記開閉部材を開く動作に連動して、前記シャッターが、前記弾性部材の押圧力により回動し、前記レーザ光を遮蔽することを特徴とする請求項１に記載の画像形成装置。
【請求項３】
前記レーザ光を反射するための反射部材を更に備えるとともに、前記シャッターには、前記反射部材を清掃するための清掃部材が設けられており、前記開閉部材を開く動作に連動して前記シャッターが回動することにより、前記清掃部材が前記反射部材に当接するとともに、前記シャッターが、前記清掃部材を介して、前記反射部材に密着することを特徴とする請求項１または請求項２に記載の画像形成装置。
【発明の詳細な説明】
【技術分野】
【０００１】
本発明は、レーザ光を光源として用いるプリンタやコピー機等の画像形成装置に係り、特に、レーザ光の外部への漏出を防止するためのシャッターを備える画像形成装置に関する。
【背景技術】
【０００２】
近年、レーザダイオードを光源として用いたプリンタやコピー機等の画像形成装置が開発されている。そして、この様な画像形成装置は、光源であるレーザダイオードが設けられた露光装置であるレーザ走査ユニット（ＬＳＵ）を備えており、レーザダイオードから発生するレーザ光を、コリメータレンズを用いて平行光束にし、その後、ポリゴンミラー等の偏向手段により、偏向し、像担持体である感光体上に走査することにより静電潜像を形成している。
【０００３】
ここで、レーザ光は、人体へ悪影響を及ぼす危険性があり、例えば、眼球や皮膚に対して有害であるため、保守点検時や、用紙がジャム（紙詰まり）を起こした場合のジャム処理時等の、開閉カバー（または、外装カバー）を開けて作業を行う必要がある場合に、レーザ光が外部に漏れないようにする必要がある。
【０００４】
そこで、光源からのレーザ光を遮蔽するための機構を備えた種々の装置が開示されている。例えば、レーザ光源からのレーザ光を遮蔽するためのシャッターを備え、上述の保守点検やジャム処理等を行う際に、開閉カバーを開くと、開閉カバーの開閉動作に連動してシャッターが回動することにより、レーザ光が遮蔽される画像形成装置が開示されている。また、この画像形成装置においては、当該シャッターに、レーザダイオードから発生するレーザ光を透過する防塵ガラスを清掃するための清掃部材が設けられている。そして、開閉カバーの開閉動作に連動してシャッターが回動すると、レーザ光が遮蔽されるとともに、シャッターに設けられた清掃部材により、防塵ガラスが清掃される構成となっている。また、当該シャッターに、レーザダイオードから発生するレーザ光を反射させる反射ミラーを清掃するための清掃部材を設けた画像形成装置も開示されている。そして、シャッターが回動すると、レーザ光が遮蔽されるとともに、シャッターに設けられた清掃部材により、反射ミラーの反射面が清掃される構成となっている（例えば、特許文献１参照）。
【特許文献１】特開平７−１２９０６０号公報（第３頁−第４頁、図３−図４）
【発明の開示】
【発明が解決しようとする課題】
【０００５】
ここで、レーザ光を十分に遮蔽するとともに、防塵ガラスや反射ミラーを十分に清掃するという観点から、開閉カバーを開いた状態において、シャッターを防塵ガラスや反射ミラーに対して押し付けて密着させる必要がある。しかし、上記特許文献１に記載の構成において、防塵ガラスや反射ミラーに対するシャッターの押し付け力をあまり大きくしてしまうと、開閉カバーを閉める際に過大な負荷がかかるため、例えば、開閉カバーを閉じる際の衝撃で装置が破損するおそれがあるという問題があった。一方、このような問題を解消するために、上記押し付け力を小さくしてしまうと、防塵ガラスや反射ミラーに対するシャッターの密着性が低下し、当該シャッターによりレーザ光を十分に遮蔽するとともに、防塵ガラスや反射ミラーを十分に清掃することが困難になってしまう。
【０００６】
そこで、本発明は、上述の問題に鑑みてなされたものであり、レーザ光を十分に遮蔽し、反射ミラー等を十分に清掃することができるシャッターを備えるとともに、開閉部材の開閉動作を行う際の操作性を向上させることができる機能を備えた画像形成装置を提供することを目的とする。
【課題を解決するための手段】
【０００７】
上記目的を達成するために、請求項１に記載の発明では、装置本体と、装置本体に対して、回動により開閉可能に設けられた開閉部材と、レーザ光を出射するレーザ光源と、装置本体に回動可能に設けられた軸部と、軸部に取り付けられるとともに、レーザ光を遮蔽するためのシャッターと、を備え、開閉部材の開閉動作に連動して前記シャッターが軸部と一体となって回動する画像形成装置において、開閉部材を閉じる際には、開閉部材の回動力を減衰させ、開閉部材を開く際には、開閉部材の回動力をアシストする回動力調節機構を設けたことを特徴とする。
【０００８】
請求項１に記載の発明によれば、開閉部材をゆっくり閉じることが可能になるため、開閉部材を閉じる際の衝撃で装置が破損するという不都合を回避することができる。また、開閉部材が閉じた状態において、小さい力で開閉部材を開くことが可能になる。その結果、開閉部材の操作性が向上することになる。
【０００９】
請求項２に記載の発明は、請求項１に記載の発明において、回動力調節機構は、軸部に設けられ、レーザ光を遮蔽する方向にシャッターを押圧する弾性部材と、軸部に取り付けられ、軸部と一体となって回動するとともに、軸部とシャッターを介して、弾性部材の押圧力が伝達される回動部材と、開閉部材に設けられ、回動部材と係合する係合部材と、を有しており、開閉部材を閉じる際に、係合部材が回動部材と当接することにより、弾性部材の押圧力が回動部材を介して係合部材に伝達され、開閉部材の回動力が減衰されるとともに、開閉部材を閉じる動作に連動して、シャッターが弾性部材の押圧力に抗してレーザ光を遮光する方向と反対の方向に回動し、シャッターによるレーザ光の遮蔽状態が解除され、カバー部材を開く際には、係合部材が回動部材と当接した状態にあり、弾性部材の押圧力が回動部材を介して係合部材に伝達されることにより、開閉部材の回動力がアシストされるとともに、開閉部材を開く動作に連動して、シャッターが、弾性部材の押圧力により回動し、レーザ光を遮蔽することを特徴とする。
【００１０】
請求項２に記載の発明によれば、簡単な構成で、開閉部材を閉じる際の衝撃で装置が破損するという不都合を回避することが可能になるとともに、開閉部材の操作性を向上させることが可能になる。また、簡単な構成で、シャッターによるレーザ光の遮蔽状態の切り替えを行うことが可能になる。
【００１１】
請求項３に記載の発明は、請求項１または請求項２に記載の発明において、レーザ光を反射するための反射部材を更に備えるとともに、シャッターには、反射部材を清掃するための清掃部材が設けられており、開閉部材を開く動作に連動してシャッターが回動することにより、清掃部材が反射部材に当接するとともに、シャッターが、清掃部材を介して、反射部材に密着することを特徴とする。
【００１２】
請求項３に記載の発明によれば、簡単な構成で、清掃部材により、反射部材に付着した異物を除去し、反射部材を十分に清掃することが可能になるとともに、開閉部材を開いた状態において、反射部材へのレーザ光の進入を確実に防止し、レーザ光を十分に遮蔽することが可能になる。
【発明の効果】
【００１３】
本発明によれば、レーザ光を十分に遮蔽し、反射部材を十分に清掃することが可能になるとともに、開閉部材の開閉動作を行う際の操作性を向上させることが可能になる。
【発明を実施するための最良の形態】
【００１４】
以下に、本発明の具体的な実施形態について図面を参照しながら説明する。図１は、本発明の実施形態に係る画像形成装置の全体構成を示す概略図である。図１に示す様に、この画像形成装置１は、プリンタであり、装置本体１ａの下部に配設された給紙カセット２と、この給紙カセット２の側方及び上方に配設された用紙搬送路３と、この用紙搬送路３の上方に配設された画像形成部４と、この画像形成部４よりも排出側に配設された定着部５を備えている。
【００１５】
給紙カセット２には、用紙Ｐが収納されており、給紙ローラ６の回転動作により、当該給紙カセット２から用紙Ｐが用紙搬送路３側に送り出され、用紙Ｐが１枚ずつ確実に用紙搬送路３に給紙されるように構成されている。尚、給紙カセット２は、装置本体１ａに対し、着脱自在となるように構成されている。
【００１６】
用紙搬送路３に給紙された用紙Ｐは、当該用紙Ｐを供給するための搬送ローラ１８、１９、及び、レジストローラ２０を経由して、画像形成部４に向けて搬送される。この画像形成部４は、電子写真プロセスによって、用紙Ｐに所定のトナー像を形成するものであり、所定の方向（図中の矢印方向）に回転可能に軸支された像担持体である感光体７と、この感光体７の周囲にその回転方向に沿って、帯電装置８、現像装置１０、転写装置（または、転写部材）としての転写ローラ１１、廃トナー回収装置１２および除電装置１３を備えている。
【００１７】
帯電装置８は、高電圧が印加される帯電ワイヤを備えており、この帯電ワイヤからのコロナ放電によって感光体７の表面に所定電位を与えることにより、感光体７の表面が一様に帯電させられる。そして、露光装置であるレーザ走査ユニット（ＬＳＵ）９からの画像データに基づくレーザ光により、感光体７上に静電潜像が形成される。次いで、現像装置１０により、上記静電潜像にトナーが付着し、感光体７の表面にトナー像が形成され、転写ローラ１１により、感光体７の表面のトナー像が、感光体７と転写ローラ１１との間に供給された用紙Ｐに転写される。
【００１８】
トナー像が転写された用紙Ｐ（以下、「転写紙」という）は、画像形成部４から定着部５に向けて搬送される。この定着部５は、画像形成部４の用紙搬送方向の下流側に配置されており、転写紙は定着ローラ対を構成する加熱ローラ１４、及び当該加熱ローラ１４に押し付けられる加圧ローラ１５によって挟まれるとともに加熱され、転写紙上にトナー像が定着される。
【００１９】
次いで、画像形成部４から定着部５において画像形成がなされた転写紙は、排出手段である排出ローラ対１６によって装置本体１ａに設けられた用紙排出部１７へと排出され、当該用紙排出部１７に積載される。一方、上記転写後、感光体７の表面に残留しているトナーは、廃トナー回収装置１２により除去され、感光体７の表面の残留電荷は、除電装置１３により除去される。そして、感光体７は帯電装置８によって再び帯電され、以下同様にして画像形成が行われる構成となっている。
【００２０】
次に、図面を参照してレーザ走査ユニットについて説明する。図２は、本発明の実施形態に係る画像形成装置におけるレーザ走査ユニットの全体構成を示す概略図である。図２に示す様に、本実施形態に係るレーザ走査ユニット９は、光源ユニット５０に設けられたビーム発生部２１のレーザ光源であるレーザダイオード２２からレーザ光Ｂを出射させ、当該レーザ光Ｂをコリメータレンズ２３によって略平行化した上で、シリンドリカルレンズ２４により集光させ、その後、光偏向素子である回転多面鏡２５の反射面２６に入射させ、回転多面鏡２５の回転による主走査によりそれぞれ主走査方向（図中の矢印Ｘの方向）に走査される。そして、レーザ光Ｂは、回転多面鏡２５とともに走査結像手段を構成する結像レンズ２７を経由し、次いで、レーザ光Ｂを反射するための反射部材である反射ミラー５１により感光体７に向けて反射され、感光体７の副走査方向（図中の矢印Ｙの方向）への回転により、感光体７に静電潜像を形成するものである。
【００２１】
ビーム発生部２１に設けられた光源であるレーザダイオード２２から発生したレーザ光Ｂは、光源ユニット５０に設けられたコリメータレンズ２３により略平行光束とされるとともに、光源ユニット５０に設けられたアパーチャ２８により断面形状が整形される。このコリメータレンズ２３は、鏡筒２９に内蔵、保持されており、また、アパーチャ２８には、コリメータレンズ２３の端面に対向し、当該コリメータレンズ２３により略平行光束とされたレーザ光Ｂを整形するためのスリット３０が形成されている。また、アパーチャ２８には、例えば、金属板をプレス加工したものや、樹脂射出成形（例えば、ＡＢＳ樹脂の射出成形）により加工したものが用いられ、スリット３０の高精度な内径寸法が実現されたものが用いられる。
【００２２】
アパーチャ２８により整形されたレーザ光Ｂは、シリンドリカルレンズ２４により、回転多面鏡２５の反射面２６に線状に集光された後、回転多面鏡２５の反射面２６に入射する。この回転多面鏡２５は、多面体（一般には５〜１０角程度）のミラーであり、中心軸に取り付けられた回転モータ（図示せず）により一定の角速度で高速回転を行う。シリンドリカルレンズ２４により集光されたレーザ光Ｂは、回転多面鏡２５により角度を変えて放射状に反射され、上述の主走査方向Ｘに当該レーザ光Ｂを走査することが可能となる。
【００２３】
結像レンズ２７は、球面レンズ部とトーリックレンズ部からなり、シリンドリカルレンズ２４と同様に感光体７上の点像の歪を防ぐ機能を有するとともに、当該点像が感光体７上で主走査方向Ｘに等速度で走査されるように補正する機能を有する。この様な補正を必要とするのは、回転多面鏡２５から感光体７までの距離は、感光体７の端部と中央部では異なるため、一定速度で回転する回転多面鏡２５に一定間隔でＯＮ／ＯＦＦを繰り返すレーザ光Ｂを照射しても、感光体７上での走査速度は一定にならないため、回転多面鏡２５により広がったレーザ光Ｂの反射角度を絞り込んで偏向し、感光体７上に等間隔にレーザ光を投光する必要があるからである。
【００２４】
なお、図２に示す様に、レーザダイオード２２は、レーザホルダ３１に保持されており、レーザ駆動回路基板３２とともに光学箱３３の開口部３４を介して側壁３５に組み付けられる。
【００２５】
次に、シャッター周辺の構成を説明する。図３は、本発明の実施形態に係る画像形成装置における開閉カバーを閉じた状態におけるシャッターの周辺構成を説明するための斜視図であり、図４は、図３の部分拡大図である。また、図５は、本発明の実施形態に係る画像形成装置における回動力調節機構を説明するための部分拡大図である。
【００２６】
図３〜図５に示す様に、画像形成装置１には、装置本体１ａの上面部を構成するとともに、装置本体１ａに対して、回動により開閉可能に設けられた開閉部材である開閉カバー６０が設けられている。また、レーザ光源であるレーザダイオード２２から出射されるレーザ光Ｂを遮蔽するためのシャッター３７が設けられている。このシャッター３７は、装置本体１ａに回動可能に設けられた軸部である回動軸３８に取り付けられており、図５に示す矢印Ｃの方向（即ち、レーザ光Ｂを遮蔽する方向）、および後述の図７に示す矢印Ｄの方向（即ち、レーザ光Ｂの遮蔽状態を解除する方向であって、矢印Ｃと反対の方向）に回動可能に軸支され、開閉カバー６０の開閉動作に連動して、回動軸３８と一体となって回動する構成となっている。また、回動軸３８には、レーザ光Ｂを遮蔽する方向（上述の矢印Ｃの方向）にシャッター３７を押圧するための弾性部材であるコイルバネ３９が設けられている。また、本実施形態においては、回動軸３８の端部には、当該回動軸３８と一体となって、上述の矢印Ｃ、Ｄの方向に回動可能に設けられた回動部材４０が取り付けられるとともに、開閉カバー６０のアーム６１には、開閉カバー６０の開閉動作に連動して移動するとともに、回動部材４０と係合する係合部材である突起部６２が設けられており、コイルバネ３９、回動部材４０、および突起部６２により、開閉カバー６０の開閉動作を行う際の回動力を調整するための回動力調節機構８０が形成されている。
【００２７】
そして、開閉カバー６０を閉じた状態（即ち、画像形成装置１が動作中の状態）においては、図５に示す様に、回動部材４０が、開閉カバー６０のアーム６１に設けられた突起部６２と当接し、回動部材４０が突起部６２により、図５に示す矢印Ａの方向に押圧された状態にあり、回動軸３８に取り付けられた回動部材４０は、上述の矢印Ｄの方向に回動した状態で、突起部６２に係止された状態にある。従って、開閉カバー６０を閉じた状態においては、回動軸３８に取り付けられたシャッター３７も、コイルバネ３９の押圧力に抗して、矢印Ｄの方向に回動した状態にあり、図５に示す所定の位置に位置決めされているため、レーザ光Ｂはシャッター３７により遮蔽されない構成となっている。
【００２８】
次に、開閉カバーの開閉動作を行う際のシャッターの動作について説明する。図６は、本発明の実施形態に係る画像形成装置における開閉カバーを開いた状態におけるシャッターの周辺構成を説明するための部分拡大図であり、図７は、本発明の実施形態に係る画像形成装置における開閉カバーを開く際のシャッターの動作を説明するための部分拡大図である。また、図８は、本発明の実施形態に係る画像形成装置におけるシャッターの清掃部材を説明するための概略図である。
【００２９】
保守点検やジャム処理等を行うため、上述の図４、図５に示す開閉カバー６０を閉じた状態から、当該開閉カバー６０を開くと、シャッター３７が、コイルバネ３９の押圧力により矢印Ｃの方向に回動するとともに、回動部材４０には、回動軸３８とシャッター３７を介して、コイルバネ３９の押圧力が伝達されるため、回動軸３８に設けられた回動部材４０も矢印Ｃの方向に回動する。ここで、開閉カバー６０を開く際に、上述のごとく、突起部６２が回動部材４０と当接した状態にあるため、回動部材４０を介して、当該回動部材４０と当接する突起部６２に、上記コイルバネ３９の押圧力が伝達されることになり、突起部６２が回動部材４０により、図５に示す矢印Ａと反対の方向（即ち、矢印Ｂの方向）に押圧されることになる。従って、コイルバネ３９の押圧力（即ち、シャッター３７の回動力）が開閉カバー６０を開く際のアシスト力として作用するため、小さい力で開閉カバー６０を容易に開くことが可能になり、結果として、開閉カバー６０の操作性が向上することになる。
【００３０】
また、シャッター３７には、図８に示す様に、反射ミラー５１の反射面５２を清掃するための清掃部材４１が設けられている。そして、開閉カバー６０の開閉動作（即ち、開く動作）に連動してシャッター３７が、図中の破線で示す位置（即ち、開閉カバー６０が閉じられた状態におけるシャッター３７の位置）から矢印Ｃの方向へ回動すると、清掃部材４１が反射ミラー５１の反射面５２に当接して、当該反射面５２の異物が除去されるとともに、コイルバネ３９の押圧力により、シャッター３７が、清掃部材４１を介して、反射ミラー５１に対して押し付けられて密着し、レーザ光Ｂが遮蔽される構成となっている。従って、開閉カバー６０を開いた状態において、反射ミラー５１へのレーザ光Ｂの進入を確実に防止することができるため、レーザ光Ｂを十分に遮蔽することが可能になる。
【００３１】
保守点検やジャム処理等が終了し、上述の図６、図７に示す開閉カバー６０を開いた状態から、開閉カバー６０を閉じると、まず、回動部材４０が、開閉カバー６０のアーム６１に設けられた突起部６２と当接し、回動部材４０が突起部６２により、図５に示す矢印Ａの方向に押圧される。この際、回動部材４０を介して、当該回動部材４０と当接する突起部６２に、上述のコイルバネ３９の押圧力が伝達されることになるため、開閉カバー６０に設けられた突起部６２が、上述の矢印Ｂの方向に押圧されることになる。従って、開閉カバー６０の回動力が減衰され、開閉カバー６０をゆっくり閉めることが可能になるため、結果として、開閉カバー６０を閉じる際の衝撃で装置が破損するという不都合を回避することが可能になる。また、開閉カバー６０が閉じられてゆくと、上述のごとく、回動軸３８に取り付けられた回動部材４０が突起部６２により、図５に示す矢印Ａの方向に押圧されて、矢印Ｄの方向に回動する。従って、回動軸３８に取り付けられたシャッター３７も、コイルバネ３９の押圧力に抗して、矢印Ｄの方向に回動し、上述の図５に示す所定の位置に位置決めされることになる。従って、シャッター３７によるレーザ光Ｂの遮蔽状態が解除されることになる。
【００３２】
以上に説明したように、本実施形態においては、開閉カバー６０を閉じる際には、当該開閉カバー６０の回動力を減衰させ、開閉カバー６０を開く際には、当該開閉カバー６０の回動力をアシストする回動力調節機構８０を設ける構成としている。従って、開閉カバー６０をゆっくり閉じることが可能になるため、開閉カバー６０を閉じる際の衝撃で装置が破損するという不都合を回避することができる。また、開閉カバー６０が閉じた状態において、小さい力で開閉カバー６０を開くことが可能になる。その結果、開閉カバー６０の操作性が向上することになる。
【００３３】
また、開閉カバー６０を閉じる際に、突起部６２が回動部材４０と当接することにより、コイルバネ３９の押圧力が回動部材４０を介して突起部６２に伝達され、開閉カバー６０の回動力が減衰される構成としている。そして、開閉カバー６０を閉じる動作に連動して、シャッター３７がコイルバネ３９の押圧力に抗してレーザ光Ｂを遮光する方向と反対の方向に回動し、シャッター３７によるレーザ光Ｂの遮蔽状態が解除される構成としている。一方、開閉カバー６０を開く際には、突起部６２が回動部材４０と当接した状態にあり、コイルバネ３９の押圧力が回動部材４０を介して突起部６２に伝達されることにより、開閉カバー６０の回動力がアシストされる構成としている。そして、開閉カバー６０を開く動作に連動して、シャッター３７が、コイルバネ３９の押圧力により回動し、レーザ光Ｂを遮蔽する構成としている。
【００３４】
従って、簡単な構成で、開閉カバー６０を閉じる際の衝撃で装置が破損するという不都合を回避することが可能になるとともに、開閉カバー６０の操作性を向上させることが可能になる。また、簡単な構成で、シャッター３７によるレーザ光Ｂの遮蔽状態の切り替えを行うことが可能になる。
【００３５】
また、開閉カバー６０を開く動作に連動してシャッター３７が回動することにより、清掃部材４１が反射ミラー５１に当接するとともに、シャッター３７が、清掃部材４１を介して、反射ミラー５１に密着する構成としている。従って、簡単な構成で、清掃部材４１により、反射ミラー５１に付着した異物を除去し、当該反射ミラー５１を十分に清掃することが可能になるとともに、開閉カバー６０を開いた状態において、反射ミラー５１へのレーザ光Ｂの進入を確実に防止し、当該レーザ光Ｂを十分に遮蔽することが可能になる。
【００３６】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３７】
例えば、上記実施形態においては、清掃部材４１により反射ミラー５１の清掃を行う構成としたが、レーザ光Ｂを透過する防塵ガラスを別個に設け、当該防塵ガラスを清掃部材４１により清掃する構成としても良い。
【００３８】
また、上記実施形態においては、画像形成装置の一例として、プリンタを示したが、デジタル複写機やファクシミリ等の他の画像形成装置であっても良いことは言うまでもない。
【産業上の利用可能性】
【００３９】
本発明の活用例としては、レーザ光を光源として用いるプリンタやコピー機等の画像形成装置に係り、特に、レーザ光の外部への漏出を防止するためのシャッターを備える画像形成装置が挙げられる。
【図面の簡単な説明】
【００４０】
【図１】本発明の実施形態に係る画像形成装置の全体構成を示す概略図である。
【図２】本発明の実施形態に係る画像形成装置におけるレーザ走査ユニットの全体構成を示す概略図である。
【図３】本発明の実施形態に係る画像形成装置における開閉カバーを閉じた状態におけるシャッターの周辺構成を説明するための斜視図である。
【図４】図３の部分拡大図である。
【図５】本発明の実施形態に係る画像形成装置における回動力調節機構を説明するための部分拡大図である。
【図６】本発明の実施形態に係る画像形成装置における開閉カバーを開いた状態におけるシャッターの周辺構成を説明するための部分拡大図である。
【図７】本発明の実施形態に係る画像形成装置における開閉カバーを開く際のシャッターの動作を説明するための部分拡大図である。
【図８】本発明の実施形態に係る画像形成装置におけるシャッターの清掃部材を説明するための概略図である。
【符号の説明】
【００４１】
１…画像形成装置、１ａ…装置本体、２…給紙カセット、３…用紙搬送路、４…画像形成部、５…定着部、７…感光体、８…帯電装置、９…レーザ走査ユニット、１０…現像装置、１１…転写ローラ、１３…除電装置、１６…排出ローラ対、１７…用紙排出部、２０…レジストローラ、２１…ビーム発生部、２２…レーザダイオード、２５…回転多面鏡、３７…シャッター、３８…回動軸、３９…コイルバネ、４０…回動部材、４１…清掃部材、５１…反射ミラー、５２…反射面、６０…開閉カバー、６２…突起部、８０…回動力調節機構、Ｂ…レーザ光
【図１】
2006208848.tif 000003
【図２】
2006208848.tif 000004
【図３】
2006208848.tif 000005
【図４】
2006208848.tif 000006
【図５】
2006208848.tif 000007
【図６】
2006208848.tif 000008
【図７】
2006208848.tif 000009
【図８】
2006208848.tif 000010